(57)【特許請求の範囲】
【請求項１】
複数色の色材から成る第１の色材群を色材ごとに設定された使用量使用して印刷したパターンを予め測色することで取得した色値と、前記第１の色材群の色材ごとに設定された使用量と、のセットを、該第１の色材群の色材ごとに設定可能な使用量の組み合わせ毎に保持する第１の保持手段と、
前記複数の色材の何れよりも赤外線吸収率が高い色材を含む第２の色材群を色材ごとに設定された使用量使用して印刷したパターンを予め測色することで取得した色値と、前記第２の色材群の色材ごとに設定された使用量と、のセットを、該第２の色材群の色材ごとに設定可能な使用量の組み合わせ毎に保持する第２の保持手段と、
予め設定された画素値群から１つの画素値を選択画素値として選択する手段と、
前記第１の保持手段が保持する色値群のうち、該色値群が属する色空間において、前記選択画素値の色値との差が規定範囲内にある色値を特定し、該特定した色値とセットになって前記第１の保持手段が保持している使用量を特定し、該特定した使用量から補間により、前記選択画素値を有する画素を前記第１の色材群を用いて印刷する場合のそれぞれの色材の使用量、を計算する第１の計算手段と、
前記第２の保持手段が保持する色値群のうち、該色値群が属する色空間において、前記選択画素値の色値との差が規定範囲内にある色値を特定し、該特定した色値とセットになって前記第２の保持手段が保持している使用量を特定し、該特定した使用量から補間により、前記選択画素値を有する画素を前記第２の色材群を用いて印刷する場合のそれぞれの色材の使用量、を計算する第２の計算手段と、
前記第１の計算手段が計算した前記第１の色材群のそれぞれの使用量、前記第２の計算手段が計算した前記第２の色材群のそれぞれの使用量、を前記選択画素値と対応付けてメモリに格納する手段と、
前記予め設定された画素値群のそれぞれに対応する、前記第１の色材群のそれぞれの使用量、前記第２の色材群のそれぞれの使用量、を前記メモリから読み出して印刷装置に出力する出力手段と
を備えることを特徴とする情報生成装置。
【請求項２】
前記選択画素値の色値は、前記第１の保持手段が保持しているそれぞれの色値が属する色空間における該それぞれの色値の位置を包含する領域の内部に位置する色値であり、且つ前記第２の保持手段が保持しているそれぞれの色値の前記色空間における位置を包含する領域の内部に位置する色値である
ことを特徴とする請求項１に記載の情報生成装置。
【請求項３】
前記第２の計算手段は、
前記第２の色材群の色材ごとに設定可能な使用量の組み合わせのうち、前記複数の色材の何れよりも赤外線吸収率が高い色材の使用量が規定量である組み合わせのそれぞれに対して前記第２の保持手段が保持している色値を読み出し、
該読み出した色値群のうち、該色値群が属する色空間において、前記選択画素値の色値との差が規定範囲内にある色値を特定し、該特定した色値とセットになって前記第２の保持手段が保持している使用量を特定し、該特定した使用量から補間により、前記選択画素値を有する画素を前記第２の色材群を用いて印刷する場合のそれぞれの色材の使用量、を計算する
ことを特徴とする請求項１又は２に記載の情報生成装置。
【請求項４】
更に、
前記規定量を変更する手段を備えることを特徴とする請求項３に記載の情報生成装置。
【請求項５】
前記印刷装置は、
印刷対象画素が背景領域に属する画素である場合には、前記第１の色材群を、該印刷対象画素の画素値に対応する前記第１の色材群のそれぞれの使用量使用して前記印刷対象画素を印刷し、
前記印刷対象画素が潜像領域に属する画素である場合には、前記第２の色材群を、該印刷対象画素の画素値に対応する前記第２の色材群のそれぞれの使用量使用して前記印刷対象画素を印刷する
ことを特徴とする請求項１乃至４の何れか１項に記載の情報生成装置。
【請求項６】
複数色の色材から成る第１の色材群を色材ごとに設定された使用量使用して印刷したパターンを予め測色することで取得した色値と、前記第１の色材群の色材ごとに設定された使用量と、のセットを、該第１の色材群の色材ごとに設定可能な使用量の組み合わせ毎に保持する第１の保持手段と、
前記複数の色材の何れよりも赤外線吸収率が高い色材を含む第２の色材群を色材ごとに設定された使用量使用して印刷したパターンを予め測色することで取得した色値と、前記第２の色材群の色材ごとに設定された使用量と、のセットを、該第２の色材群の色材ごとに設定可能な使用量の組み合わせ毎に保持する第２の保持手段と
を備える情報生成装置が行う情報生成方法であって、
前記情報生成装置の選択手段が、予め設定された画素値群から１つの画素値を選択画素値として選択する工程と、
前記情報生成装置の第１の計算手段が、前記第１の保持手段が保持する色値群のうち、該色値群が属する色空間において、前記選択画素値の色値との差が規定範囲内にある色値を特定し、該特定した色値とセットになって前記第１の保持手段が保持している使用量を特定し、該特定した使用量から補間により、前記選択画素値を有する画素を前記第１の色材群を用いて印刷する場合のそれぞれの色材の使用量、を計算する第１の計算工程と、
前記情報生成装置の第２の計算手段が、前記第２の保持手段が保持する色値群のうち、該色値群が属する色空間において、前記選択画素値の色値との差が規定範囲内にある色値を特定し、該特定した色値とセットになって前記第２の保持手段が保持している使用量を特定し、該特定した使用量から補間により、前記選択画素値を有する画素を前記第２の色材群を用いて印刷する場合のそれぞれの色材の使用量、を計算する第２の計算工程と、
前記情報生成装置の格納手段が、前記第１の計算工程で計算した前記第１の色材群のそれぞれの使用量、前記第２の計算工程で計算した前記第２の色材群のそれぞれの使用量、を前記選択画素値と対応付けてメモリに格納する工程と、
前記情報生成装置の出力手段が、前記予め設定された画素値群のそれぞれに対応する、前記第１の色材群のそれぞれの使用量、前記第２の色材群のそれぞれの使用量、を前記メモリから読み出して印刷装置に出力する出力工程と
を備えることを特徴とする情報生成方法。
【請求項７】
コンピュータを、請求項１乃至５の何れか１項に記載の情報生成装置の各手段として機能させるためのコンピュータプログラム。
【請求項８】
請求項７に記載のコンピュータプログラムを格納した、コンピュータが読み取り可能な記憶媒体。
【請求項９】
予め設定された画素値毎に、複数色の色材を用いて該画素値の色を印刷する際のそれぞれの色材の使用量、を保持する第１の保持手段と、
前記予め設定された画素値毎に、前記複数の色材の何れよりも赤外線吸収率が高い色材である高赤外線吸収率色材の使用量を第１の使用量とし且つ該高赤外線吸収率色材を含む複数色の色材を用いて該画素値の色を印刷する際のそれぞれの色材の使用量、を保持する第２の保持手段と、
前記予め設定された画素値毎に、前記高赤外線吸収率色材の使用量を前記第１の使用量よりも多い第２の使用量とし且つ該高赤外線吸収率色材を含む複数色の色材を用いて該画素値の色を印刷する際のそれぞれの色材の使用量、を保持する第３の保持手段と、
印刷対象画像を構成するそれぞれの画素が潜像領域に属しているのか、背景領域に属しているのかを判断する手段と、
着目画素が潜像領域に属している場合、該着目画素の画素値に対応するそれぞれの色材の使用量を、前記第２の保持手段及び前記第３の保持手段のうち選択された一方から取得し、取得したそれぞれの色材の使用量に従って前記着目画素を印刷媒体に対して印刷し、
前記着目画素が背景領域に属している場合、該着目画素の画素値に対応するそれぞれの色材の使用量を前記第１の保持手段から取得し、取得したそれぞれの色材の使用量に従って前記着目画素を印刷媒体に対して印刷する手段と
を備え、
前記第１の保持手段が着目画素値に対して保持するそれぞれの色材の使用量に従って印刷する画素の明度と、前記第２の保持手段が着目画素値に対して保持するそれぞれの色材の使用量に従って印刷する画素の明度と、は通常光下では視認しがたいことを特徴とする画像処理装置。
【請求項１０】
予め設定された画素値毎に、複数色の色材を用いて該画素値の色を印刷する際のそれぞれの色材の使用量、を保持する第１の保持手段と、
前記予め設定された画素値毎に、前記複数の色材の何れよりも赤外線吸収率が高い色材である高赤外線吸収率色材の使用量を第１の使用量とし且つ該高赤外線吸収率色材を含む複数色の色材を用いて該画素値の色を印刷する際のそれぞれの色材の使用量、を保持する第２の保持手段と、
前記予め設定された画素値毎に、前記高赤外線吸収率色材の使用量を前記第１の使用量よりも多い第２の使用量とし且つ該高赤外線吸収率色材を含む複数色の色材を用いて該画素値の色を印刷する際のそれぞれの色材の使用量、を保持する第３の保持手段と
を備える画像処理装置が行う画像処理方法であって、
前記画像処理装置の判断手段が、印刷対象画像を構成するそれぞれの画素が潜像領域に属しているのか、背景領域に属しているのかを判断する工程と、
前記画像処理装置の印刷手段が、着目画素が潜像領域に属している場合、該着目画素の画素値に対応するそれぞれの色材の使用量を、前記第２の保持手段及び前記第３の保持手段のうち選択された一方から取得し、取得したそれぞれの色材の使用量に従って前記着目画素を印刷媒体に対して印刷し、
前記着目画素が背景領域に属している場合、該着目画素の画素値に対応するそれぞれの色材の使用量を前記第１の保持手段から取得し、取得したそれぞれの色材の使用量に従って前記着目画素を印刷媒体に対して印刷する工程と
を備え、
前記第１の保持手段が着目画素値に対して保持するそれぞれの色材の使用量に従って印刷する画素の明度と、前記第２の保持手段が着目画素値に対して保持するそれぞれの色材の使用量に従って印刷する画素の明度と、は通常光下では視認しがたいことを特徴とする画像処理方法。
【発明の詳細な説明】
【技術分野】
【０００１】
本発明は、印刷媒体上に絵柄や文字を顕在化させる為の技術に関するものである。
【背景技術】
【０００２】
印刷物の偽造防止技術または真偽判定技術として、通常光下では目視できず（又は目視し難い）、赤外光下において赤外線カメラ等の赤外領域に感度のある装置を用いると容易に識別できる印刷物を生成する印刷方法がある。
【０００３】
代表的なものとしては、特許文献１に開示されている方法がある。この方法では、一般の印刷で使用されるシアン（c）、マゼンタ(m)、イエロー(y)、ブラック（k）の各色成分の色材のうち、ブラック（k）の色材のみが赤外吸収特性が大きいことを利用する。即ち、潜像領域には赤外吸収特性が大きいブラック（k）を用い、背景領域には赤外吸収特性が小さいシアン（ｃ）、マゼンタ（ｍ）、イエロー（ｙ）を用いて印刷媒体上に画像を印刷する。そして、出力された印刷媒体に赤外光を照射し、赤外線カメラを用いて潜像を識別させる。
【先行技術文献】
【特許文献】
【０００４】
【特許文献１】特登録3544536号公報
【発明の概要】
【発明が解決しようとする課題】
【０００５】
しかしながら上記の方法では、潜像領域をブラック（ｋ）のみで形成するため、潜像領域は黒系の無彩色しか表現できない。また、潜像領域を通常光下で目視できないようにする為には、背景領域も無彩色にする必要があるため、印刷画像は黒系の無彩色しか表現できないという問題がある。そのため、例えば、複数の色で構成され且つ、上記のような潜像領域及び背景領域を有する印刷画像を生成することはできなかった。
【０００６】
本発明は上記の問題に鑑みてなされたものであり、通常光下では多彩に表現可能な画像であって、赤外光下では容易に識別可能な潜像領域を有する画像を生成する為の技術を提供することを目的とする。
【課題を解決するための手段】
【０００７】
本発明の目的を達成するために、例えば、本発明の情報生成装置は以下の構成を備える。即ち、複数色の色材から成る第１の色材群を色材ごとに設定された使用量使用して印刷したパターンを予め測色することで取得した色値と、前記第１の色材群の色材ごとに設定された使用量と、のセットを、該第１の色材群の色材ごとに設定可能な使用量の組み合わせ毎に保持する第１の保持手段と、前記複数の色材の何れよりも赤外線吸収率が高い色材を含む第２の色材群を色材ごとに設定された使用量使用して印刷したパターンを予め測色することで取得した色値と、前記第２の色材群の色材ごとに設定された使用量と、のセットを、該第２の色材群の色材ごとに設定可能な使用量の組み合わせ毎に保持する第２の保持手段と、予め設定された画素値群から１つの画素値を選択画素値として選択する手段と、前記第１の保持手段が保持する色値群のうち、該色値群が属する色空間において、前記選択画素値の色値との差が規定範囲内にある色値を特定し、該特定した色値とセットになって前記第１の保持手段が保持している使用量を特定し、該特定した使用量から補間により、前記選択画素値を有する画素を前記第１の色材群を用いて印刷する場合のそれぞれの色材の使用量、を計算する第１の計算手段と、前記第２の保持手段が保持する色値群のうち、該色値群が属する色空間において、前記選択画素値の色値との差が規定範囲内にある色値を特定し、該特定した色値とセットになって前記第２の保持手段が保持している使用量を特定し、該特定した使用量から補間により、前記選択画素値を有する画素を前記第２の色材群を用いて印刷する場合のそれぞれの色材の使用量、を計算する第２の計算手段と、前記第１の計算手段が計算した前記第１の色材群のそれぞれの使用量、前記第２の計算手段が計算した前記第２の色材群のそれぞれの使用量、を前記選択画素値と対応付けてメモリに格納する手段と、前記予め設定された画素値群のそれぞれに対応する、前記第１の色材群のそれぞれの使用量、前記第２の色材群のそれぞれの使用量、を前記メモリから読み出して印刷装置に出力する出力手段とを備えることを特徴とする。
【発明の効果】
【０００８】
本発明の構成によれば、通常光下では多彩に表現可能な画像であって、赤外光下では容易に識別可能な潜像領域を有する画像を生成することができる。
【図面の簡単な説明】
【０００９】
【図１】システムの機能構成例を示すブロック図。
【図２】情報生成装置１１が行う処理のフローチャート。
【図３】本実施形態の基本概念を説明する図。
【図４】各単色インクの単位面積当りのインク使用量に対する明度の度合いを表したグラフ。
【図５】CIE L*a*b*空間における第１の領域、第２の領域のそれぞれの色域を示す図。
【図６】CIE L*a*b*空間における第１の領域、第２の領域のそれぞれの色域を示す図。
【図７】CIE L*a*b*空間における第１の領域、第２の領域のそれぞれの色域を示す図。
【図８】測定データ保持部１０４が保持する情報の構成例を示す図。
【図９】４つのL*a*b*値からインク使用量を求めるための処理を説明する図。
【図１０】色情報の構成例を示す図。
【図１１】画像処理装置１２が行う処理のフローチャート。
【図１２】画像処理装置１２が行う処理のフローチャート。
【図１３】印刷対象画像、潜像画像、通常光下と赤外光下における印刷対象画像を示す図。
【図１４】潜像画像Ｉｃの拡大、縮小、繰り返し張り付け、を説明する図。
【図１５】コンピュータの構成例を示すブロック図。
【図１６】ステップＳ２１６における処理を説明する図。
【図１７】リストの構成例を示す図。
【図１８】ステップＳ２０４における処理のフローチャート。
【発明を実施するための形態】
【００１０】
以下、添付図面を参照し、本発明の好適な実施形態について説明する。なお、以下説明する実施形態は、本発明を具体的に実施した場合の一例を示すもので、特許請求の範囲に記載の構成の具体的な実施例の１つである。
【００１１】
［第１の実施形態］
はじめに、図３を用いて本実施形態の基本概念について簡単に説明する。図３（ａ）において、第１の領域３０１は、赤外吸収特性（赤外線吸収率）が小さい色材を用いて印刷された領域であり、第２の領域３０２は、赤外吸収特性が大きい色材を用いて印刷された領域であり、何れも印刷媒体１００１上に印刷されている。図３（ｂ）は印刷媒体１００１を紙面を側面から観察した図である。この印刷媒体１００１に対して赤外光ＩＲを照射すると、第１の領域３０１は赤外吸収特性が小さいために赤外光ＩＲを反射し、第２の領域３０２は赤外吸収特性が大きいために赤外光ＩＲを吸収する。然るに、この印刷媒体１００１に対して赤外光ＩＲを照射している状態でこの印刷媒体１００１を赤外線カメラを用いて観察すると、図３（ｃ）に示す如く、第１の領域３０１は明るい明度で観察されるのに対し、第２の領域３０２は暗い明度で観察される。なお、色材とは顔料インク、トナーのいずれも良いが、以下では、色材（第１の色材群、第２の色材群、第３の色材群）を単にインク（第１のインク群、第２のインク群、第３のインク群）という。
【００１２】
一般の印刷で使用されているシアン（ｃ）、マゼンタ（ｍ）、イエロー（ｙ）、ブラック（ｋ）の基本4色インクのうちのブラック（ｋ）は、カーボンブラックを主体とした黒色色材で、赤外光の吸収が大きい（赤外吸収特性が大きい）。これに対し、シアン（ｃ）、マゼンタ（ｍ）、イエロー（ｙ）は赤外光の吸収が小さい（赤外吸収特性が小さい）ことが知られている。然るに、第２の領域３０２はブラック(k)を用いて印刷し、第１の領域３０１は、シアン（ｃ）、マゼンタ（ｍ）、イエロー（ｙ）を用いて印刷すれば、上記の通り、第１の領域３０１は明るい明度で観察され、第２の領域３０２は暗い明度で観察される。更に、通常光下において、第１の領域３０１と第２の領域３０２との色の差異を目立たなくさせるためには、第１の領域３０１は、第２の領域３０２の色とほぼ同じになるようなシアン(c)、マゼンタ(m)、イエロー(y)の組み合わせで印刷すれば良い。ここで、通常光とは、例えば、CIE（国際照明委員会）によって相対分光分布が規定された測色用の光であるＤ５０である。
【００１３】
ここで、文字、絵柄、マークなどの領域を上記の第２の領域３０２、潜像領域以外の領域（背景領域）を上記の第１の領域３０１、としてそれぞれの領域を上記のように印刷媒体１００１上に形成したとする。このとき、この潜像領域は、通常光下では目視できない（又は目視し難い）が、赤外光下においてこの印刷媒体１００１を赤外線カメラ等の特殊な識別装置で観察すると、この潜像領域は顕在化する。
【００１４】
然るに、印刷媒体１００１上に赤外光を照射した状態でこの印刷媒体１００１を赤外線カメラを用いて観察した場合に、図３（ｅ）の画像を観察させるようにする為には、次のようにすれば良い。即ち、図３（ｄ）に示す如く、「Ｏｒｉｇｉｎａｌ」の文字部分を第２の領域３０２として印刷し、非文字部分を第１の領域３０１として印刷する。
【００１５】
このような技術によれば、例えば、印刷媒体１００１に赤外光を照射し、特定の潜像が印刷媒体１００１上に確認された場合は、印刷媒体１００１は正規のもの、確認されなかった場合は、印刷媒体１００１は非正規のもの、という真偽判定が可能となる。
【００１６】
なお、最近では、表現できる色域を拡張させるため、上記の基本4色インクに加えて、レッド（r）、グリーン（g）、ブルー（b）の拡張３色インクを搭載した印刷装置も存在する。この拡張３色インクのうちのグリーン（g）は、銅やクロムを主体とした緑色色材で、赤外光を吸収することが知られている。
【００１７】
図４に、各単色インク（シアン、マゼンタ、イエロー、ブラック、レッド、グリーン、ブルー）の単位面積当りのインク使用量（横軸）の変化に対する明度の度合い（縦軸）を表したグラフを示す。このグラフは、印刷媒体上に、単色インク毎に単位面積当りのインク使用量を変化させた複数の測定パッチを印刷し、赤外光を照射した環境で赤外線カメラにより明度を測定して数値をグラフ化することにより得られる。なお、測定パッチを印刷した印刷媒体の明度を１としている。このグラフから、上述したようにブラックとグリーンは、その他のインクよりも赤外吸収特性が大きいことが確認でき、さらにインクの種類によっては同じインク使用量でも明度の度合いが異なっているのがわかる。また、インク使用量が多くなるにつれて明度の度合いが減少していることがわかる。
【００１８】
画像上で潜像を顕在化させたい場合、結局のところ、潜像領域、背景領域の何れか一方だけに赤外吸収特性が大きいインクが含まれていればよく、換言すれば、赤外吸収特性の異なる２つの領域を画像上に意図的に形成すれば良い。そして、図４からもわかるように、何れか一方の領域における赤外吸収特性が大きいインクのインク使用量が少なければ、赤外光下において、もう一方の領域との明度差が小さくなり、赤外光下でうすく識別することができる。一方、何れか一方の領域における赤外吸収特性が大きいインクのインク使用量が多ければ、赤外光下において、他方の領域との明度差が大きくなり、赤外光下で濃く識別することができる。
【００１９】
そこで、本実施形態では、潜像領域を、赤外吸収特性が大きいインクと赤外吸収特性が小さいインクの両方を用いて印刷するのであるが、その際、赤外吸収特性が大きいインクの使用量を、赤外光下で識別可能な範囲内で少なくする。これにより、潜像領域及び背景領域を有する画像の印刷に使用できる色数を増やすことができる。
【００２０】
以下の説明では、赤外吸収特性が大きいインクを背景領域の印刷ではなく潜像領域の印刷に用いるが、逆に、赤外吸収特性が大きいインクを潜像領域の印刷ではなく背景領域の印刷に用いても良い。即ち、通常光下では背景領域と潜像領域との明度の差異がユーザには認識（視認）しがたく、赤外光下において赤外線カメラを用いて観察した場合に背景領域と潜像領域との差異が目立つのであれば、赤外吸収特性が大きいインクを何れの領域に用いても構わない。
【００２１】
第１の領域をシアン（ｃ）、マゼンタ（ｍ）、イエロー（ｙ）で構成し、第２の領域をシアン（ｃ）、マゼンタ（ｍ）、イエロー（ｙ）、ブラック（ｋ）で構成したときの各々表現できる色域をCIE L*a*b*空間で表したものを図５に示す。第１の領域、第２の領域は、潜像領域、背景領域の何れかである。
【００２２】
ブラックのインク使用量を５０としたときの各領域が表現できる色域をＬ＊−ａ＊平面で表したものを図５（ａ）に、ａ＊−ｂ＊平面で表したものを、図５（ｂ）に示している。
【００２３】
また、ブラックのインク使用量を２０としたときの各領域が表現できる色域をＬ＊−ａ＊平面で表したものを図５（ｃ）に、ａ＊−ｂ＊平面で表したものを、図５（ｄ）に示している。
【００２４】
そして、ブラックのインク使用量を５としたときの各領域が表現できる色域をＬ＊−ａ＊平面で表したものを図５（ｅ）に、ａ＊−ｂ＊平面で表したものを、図５（ｆ）に示している。
【００２５】
第１の領域の色域５００と第２の領域の色域５０１とが重なる領域（図中の斜線部分）が、第１の領域と第２の領域とから成る画像に使用できる色域５０２となる。図５に示すように、ブラックインクのインク使用量を50,20,5と少なくしていくと、重なる領域が広くなり、つまりは画像に使用できる色域が広くなるので、結果として、画像に使用できる色数が増加することになる。さらに、拡張3色インクを使用可能な場合には、潜像領域に拡張３色インクを使用することにより、画像に使用できる色数を増やすことも可能である。
【００２６】
第１の領域をシアン(c)、マゼンタ(m)、イエロー(y)で構成し、第２の領域をレッド(r)、ブルー(b)、グリーン(g)で構成したときの各々表現できる色域をCIE L*a*b*空間で表したものを図６に示す。L*-a*平面で表したものを図６(a)に、a*-b*平面で表したものを、図６(b)に示している。図６において第１の領域の色域５００と第２の領域の色域６０１とが重なる領域（図中の斜線部分）が、第１の領域と第２の領域とから成る画像に使用できる色域６０２となる。
【００２７】
第１の領域をシアン(c)、マゼンタ(m)、イエロー(y)で構成し、第2の領域をシアン(c)、マゼンタ(m)、イエロー(y)、グリーン(g)で構成したときの各々表現できる色域をCIE L*a*b*空間で表したものを図７に示す。L*-a*平面で表したものを図７(a)に、a*-b*平面で表したものを、図７(b)に示している。図７において第１の領域の色域５００と第2の領域の色域７０１とが重なる領域（図中の斜線部分）が、第１の領域と第２の領域とから成る画像に使用できる色域７０２となる。
【００２８】
本実施形態以降の技術は、このような点に着目してなされたものであり、赤外吸収特性が大きいインクのインク使用量やインクの組み合わせを変更することにより、潜像領域及び背景領域から成る画像に使用可能な色数を増やした。その結果、通常光下では図３（ｄ）のように第１の領域（背景領域）と第２の領域（潜像領域）とを判別し難くし、赤外光下では図３（ｅ）のようにこれら２つの領域を容易に識別するようにした。
【００２９】
＜色情報の生成方法＞
まず、色情報の生成方法について説明する。色情報とは、印刷媒体上に印刷可能な各画素値（ＲＧＢ値）に対し、この画素値が表す色を表現するために印刷媒体上にどのインクをどの程度の量（インク使用量）用いるのか、を示した構成情報である。図１０に示すように、色情報には、画素値（ＲＧＢ値）毎に、背景領域を印刷する際に用いる各インクのインク使用量（＝第１の色Ｃ１）、潜像領域を印刷する際に用いる各インクのインク使用量（＝第２の色Ｃ２）、が登録されている。例えば、入力画像中の着目画素の画素値が（Ｒ２，Ｇ２，Ｂ２）であり、この着目画素が背景領域内の画素である場合、この着目画素の印刷に用いる各インクの使用量（第１の色Ｃ１）は、ｃ＝２０、ｍ＝０、ｙ＝６、ｋ＝ｒ＝ｇ＝ｂ＝０である。また、この着目画素が潜像領域内の画素である場合、この着目画素の印刷に用いる各インクの使用量（第２の色Ｃ２）は、ｃ＝ｍ＝ｙ＝ｋ＝０、ｒ＝２、ｇ＝１０、ｂ＝５である。ここで、各ＲＧＢ値に対して、印刷媒体上に単位面積当りのインクが付着する最大量を１００とした各色インクの割合を「インク使用量」とする。また、上記のことから、第１の色Ｃ１とは、各ＲＧＢ値に対応する背景領域内の色であり、第２の色Ｃ２とは、各ＲＧＢ値に対応する潜像領域内の色である。
【００３０】
また、図１０では、各ＲＧＢ値には固有のインデックスが付けられており、（Ｒ１，Ｇ１，Ｂ１）には色情報番号＝Ｃｉ１がインデックスとして付けられており、（Ｒ３，Ｇ３，Ｂ３）には色情報番号＝Ｃｉ３がインデックスとして付けられている。また、各ＲＧＢ値に対応するＣ１及びＣ２のセットには固有のインデックスが付けられている。例えば、（Ｒ２，Ｇ２，Ｂ２）に対応するＣ１及びＣ２のセット（Ｃ１＝｛ｃ＝２０、ｍ＝０、ｙ＝６、ｋ＝ｒ＝ｇ＝ｂ＝０｝、Ｃ２＝｛ｃ＝ｍ＝ｙ＝ｋ＝０、ｒ＝２、ｇ＝１０、ｂ＝５｝）にはインク組み合わせ番号＝２がインデックスとして付けられている。
【００３１】
なお、以下では、色空間としてCIE L*a*b*を用いるが、以下に説明する技術の本質はこの色空間に限ったものではなく、他の色空間を採用しても、当業者であれば、以下に説明する技術を適宜適応させることは可能である。
【００３２】
次に、本実施形態に係るシステムを構成する情報生成装置１１について、図１のブロック図を用いて説明する。情報生成装置１１は、上記の色情報を生成する。即ち、画素値毎に、背景領域を印刷するための各インクの使用量、潜像領域を印刷するための各インクの使用量、を求める。
【００３３】
画素値入力部１０１は、予め設定された画素値群、例えば、印刷装置が使用可能な画素値群、を取得する。取得元は特に限定するものではなく、情報生成装置１１内の不図示のメモリであっても良いし、外部装置であっても良い。そして画素値入力部１０１は、取得した画素値群から１つずつ画素値を選択し、選択した画素値を選択画素値として、後段の色変換処理部１０２に送出する。
【００３４】
色変換処理部１０２は、画素値入力部１０１から送出された画素値（色成分値）を、デバイス（例えば、印刷装置）に依存する色空間における画素値（色成分値）に変換し、変換した画素値を、後段の色情報演算部１０５に送出する。
【００３５】
閾値保持部１０３は、赤外線吸収率が大きいインクのインク使用量の閾値（規定量）Th1を保持する。測定データ保持部１０４は、複数色のインクをインク毎に設定された使用量使用して印刷したパターンを予め測色することで取得した色値（L*a*b*値）を、この使用量と対応付けて保持する。より詳しくは、様々な使用量毎に対応する色値が登録されたテーブル（色測定テーブル）を、複数種保持する。
【００３６】
色情報演算部１０５は、色変換処理部１０２から得た画素値、閾値保持部１０３から得た閾値Ｔｈ１、測定データ保持部１０４が保持する様々な色測定テーブル、リスト保持部１０６が保持する後述のリスト、を用いて、図１０に示すような色情報を生成する。
【００３７】
リスト保持部１０６は、背景領域を印刷するために用いるインクの候補、潜像領域を印刷するために用いるインクの候補、が登録されたリストを保持する。インクデータ取得部１０７は、画像処理装置１２から、画像処理装置１２が使用可能なインクの種類を示すインクデータを取得する。色情報出力部１１３は、色情報演算部１０５が生成した色情報を、画像処理装置１２に対して送出する。
【００３８】
次に、上記の構成を有する情報生成装置１１が行う処理について、同処理のフローチャートを示す図２を用いて説明する。ステップＳ２０１では、画素値入力部１０１は、予め設定された画素値群から１つの画素値（Ｒ１，Ｇ１，Ｂ１）を、選択画素値として選択する。そして画素値入力部１０１は、この選択画素値（Ｒ１，Ｇ１，Ｂ１）を色変換処理部１０２に送出する。
【００３９】
ステップＳ２０２では色変換処理部１０２は、選択画素値（Ｒ１，Ｇ１，Ｂ１）をデバイスに非依存のL*a*b*値に変換し、ステップＳ２０３では色変換処理部１０２は、このL*a*b*値をデバイスに依存のL’*a’*b’*値に変換する。これは、画素値を共通の色空間データに変換し、共通の色空間データからデバイスで表現できる色空間データに変換することで、画素値の色を使用するインクで出力できる色に変換することを意味している。そして色変換処理部１０２は、上記処理により求めたL’*a’*b’*値を、色情報演算部１０５に送出する。
【００４０】
ステップＳ２０４では色情報演算部１０５は、測定データ保持部１０４が保持する色測定テーブル群から、第１の色Ｃ１用の色測定テーブル、第２の色Ｃ２用の色測定テーブル、を選択する。ここで、ステップＳ２０４における処理の詳細について、図２（ｂ）のフローチャートを用いて説明する。もちろん、図２（ｂ）のフローチャートの各ステップにおける処理の主体は何れも、色情報演算部１０５である。
【００４１】
ステップＳ２１２では、第１の色Ｃ１を印刷する複数色のインク（背景領域を印刷する為に用いる複数色のインク）の候補、第２の色Ｃ２を印刷する複数色のインク（潜像領域を印刷する為に用いる複数色のインク）の候補、が登録されているリストを取得する。取得元については特に限定するものではなく、情報生成装置１１内の不図示のメモリであっても良いし、外部装置であっても良い。ここで、「第２の色Ｃ２を印刷する複数色のインクの候補」には、「第１の色Ｃ１を印刷する複数色のインクの候補」の何れよりも赤外線吸収率が高いインクが含まれている。
【００４２】
しかし、本実施形態は、「第１の色Ｃ１を印刷する複数色のインクの候補」、「第２の色Ｃ２を印刷する複数色のインクの候補」にはこれ以外の構成も考えられる。例えば、ともに赤外線吸収率が大きな同種類のインクを含み、かつ互いにインク使用量が異なる場合にも適用可能である。他には、夫々種類の異なる赤外線吸収率が大きなインクを含む場合、夫々赤外線吸収率が大きな２種類以上のインクを含み、且つインク使用量が異なる場合にも適用可能である。
【００４３】
本実施形態で用いるリストの構成例を図１７に示す。リストには、「第１の色Ｃ１を印刷する複数色のインクの候補」（第１の色候補）、「第２の色Ｃ２を印刷する複数色のインクの候補」（第２の色候補）のセットが複数セット登録されており、それぞれのセットには番号が付けられている。例えば番号＝１の場合、第１の色候補としてシアン(c)、マゼンタ(m)、イエロー(y)が登録されており、第２の色候補としてシアン(c)、マゼンタ(m)、イエロー(y)、ブラック（k）が登録されている。また、番号＝２の場合、第１の色候補としてシアン(c)、マゼンタ(m)、イエロー(y)が登録されており、第２の色候補としてレッド(r)、ブルー(b)、グリーン（g）が登録されている。また、番号＝３の場合、第１の色候補としてシアン(c)、マゼンタ(m)、イエロー(y)、第２の色候補としてシアン(c)、マゼンタ(m)、イエロー(y)、グリーン（g）が登録されている。
【００４４】
図１７に示したリストには上記の通り、第１の色候補と第２の色候補のセットが複数セット登録されているのであるが、各セットの登録順は次のようなものとなっている。即ち、第１の色候補の色域とこの第１の色候補と同セットの第２の色候補の色域とが重なる領域が広いほど、このセットはリストのより上部に登録される。然るに、番号＝１のセット内のそれぞれの色候補の色域が重なる領域は、他のセットの何れよりも大きいものとなっている。これは、重なる領域が広いほうがL’*a’*b’*値となる色が表現できる可能性が高くなるためである。従って、リストの上から順に判定していくことは、L’*a’*b’*値となる色が表現できる可能性が高い順から判定していくことであり、インクの組み合わせをランダムに判定していくよりも効率的である。
【００４５】
以下の説明では、赤外線吸収率が比較的小さいインク（シアン、マゼンタ、イエロー）に赤外線吸収率が比較的大きいインク（ブラックまたはグリーン）を加えたものを第２の色候補として用いる場合を例に取る。なお、ブラック、グリーン以外に赤外線吸収率が大きいインクがあれば、それをブラック、グリーンの代わりに用いてもよい。
【００４６】
次に、ステップＳ２１３では、インクデータ取得部１０７が画像処理装置１２から取得したインクデータ（Ｉｄ）を受ける。このインクデータは、画像処理装置１２が使用可能なインクを示すもので、基本４色インクのみ使用可能であることを示すものであったり、基本4色インクに加えて拡張３色インクが使用可能であることを示すものであったりする。このインクデータは、画像処理装置１２として用いる装置の機種などに応じて異なりうる。以下の説明では、基本４色インクのみ使用可能であることを示すインクデータはＩｄ＝０、基本4色インクに加えて拡張３色インクが使用可能であることを示すインクデータはＩｄ＝１として説明するが、Ｉｄに対する値の設定についてはこれに限るものではない。
【００４７】
ステップＳ２１４では、赤外線吸収率が大きいインクの使用量に対する閾値を閾値保持部１０３から取得する。例えば、赤外線吸収率が大きいインクとしてブラック、グリーンを用いる場合、ブラックに対する閾値Ｔｈ＿ｋ１、グリーンに対する閾値Ｔｈ＿ｇ１、を取得する。これらの閾値は、赤外光下で認識できるときの赤外線吸収率が大きいインクのインク使用量の最小値である。
【００４８】
ステップＳ２１５では、閾値保持部１０３から取得した閾値と、リスト保持部１０６から取得したリストと、を用いて、測定データ保持部１０４から第１の色Ｃ１用の色測定テーブル、第２の色Ｃ２用の色測定テーブル、を取得する。
【００４９】
測定データ保持部１０４には図８に示す如く、複数色のインクのそれぞれ使用量と、複数色のインクをインク毎に設定された使用量使用して印刷したパターンを測色することで取得したL*a*b*値と、を対応付けた色測定テーブルが登録されている。この対応付けは、インク毎に設定可能な使用量の組み合わせ毎に登録されている。なお、この測色は通常光下で行われる。
【００５０】
色測定テーブルは、インクの組み合わせ毎にグループ化されており、例えばグループ８１には、ｃ、ｍ、ｙのインクの組み合わせ（第１のインク群）についての色測定テーブル８１１が属している。色測定テーブル８１１には、ｃ、ｍ、ｙのそれぞれのインクの使用量と、ｃ、ｍ、ｙのインクをそれぞれの使用量使用して印刷したパターンを測色することで取得したL*a*b*値と、が使用量毎に登録されている（第１の保持）。
【００５１】
また、グループ８２には、ｃ、ｍ、ｙ、ｋのインクの組み合わせ（第２のインク群）についての色測定テーブル８２１〜８２３が属している。色測定テーブル８２１〜８２３の何れにも、ｃ、ｍ、ｙ、ｋのそれぞれのインクの使用量と、ｃ、ｍ、ｙ、ｋのインクをそれぞれの使用量使用して印刷したパターンを測色することで取得したL*a*b*値と、が使用量毎に登録されている。なお、色測定テーブル８２１はｋの使用量が１の場合における色測定テーブル、色測定テーブル８２２はｋの使用量が２の場合における色測定テーブル、色測定テーブル８２３はｋの使用量が５の場合における色測定テーブル、である。
【００５２】
グループ８３には、ｒ、ｇ、ｂのインクの組み合わせについての色測定テーブル８３１〜８３３が属している。色測定テーブル８３１〜８３３の何れにも、ｒ、ｇ、ｂのそれぞれのインクの使用量と、ｒ、ｇ、ｂのインクをそれぞれの使用量使用して印刷したパターンを測色することで取得したL*a*b*値と、が使用量毎に登録されている。なお、色測定テーブル８３１はｇの使用量が１の場合における色測定テーブル、色測定テーブル８３２はｇの使用量が２の場合における色測定テーブル、色測定テーブル８３３はｇの使用量が１０の場合における色測定テーブル、である。
【００５３】
グループ８４には、ｃ、ｍ、ｙ、ｇのインクの組み合わせについての色測定テーブル８４１〜８４３が属している。色測定テーブル８４１〜８４３の何れにも、ｃ、ｍ、ｙ、ｇのそれぞれのインクの使用量と、ｃ、ｍ、ｙ、ｇのインクをそれぞれの使用量使用して印刷したパターンを測色することで取得したL*a*b*値と、が使用量毎に登録されている。なお、色測定テーブル８４１はｇの使用量が１の場合における色測定テーブル、色測定テーブル８４２はｇの使用量が２の場合における色測定テーブル、色測定テーブル８４３はｇの使用量が１０の場合における色測定テーブル、である。
【００５４】
グループ８２〜８４のように、インクの組み合わせの中に赤外線吸収率が大きいインクが含まれている場合は、赤外線吸収率が大きいインクのインク使用量毎に異なる色測定テーブルが保持されている（第２の保持）。
【００５５】
ステップＳ２１５では先ず、リストを上部から参照する。図１７のリストの場合、最初は番号＝１のセットを参照することになる。即ち、第１の色候補としてシアン(c)、マゼンタ(m)、イエロー(y)、第２の色候補としてシアン(c)、マゼンタ(m)、イエロー(y)、ブラック（k）、を参照する。そして次に、第１の色候補としてシアン(c)、マゼンタ(m)、イエロー(y)、を参照したのであるから、図８の場合、この参照したインクの組み合わせに対応する色測定テーブル８１１を選択することになる。また、第２の色候補としてシアン(c)、マゼンタ(m)、イエロー(y)、ブラック（k）、を参照したのであるから、図８の場合、この参照したインクの組み合わせに対応する色測定テーブル８２１〜８２３を選択することになる。なお、取得した閾値Ｔｈ＿ｋ１、Ｔｈ＿ｇ１がそれぞれＴｈ＿ｋ１＝５、Ｔｈ＿ｇ１＝１０であるとすると、取得した色測定テーブル８２１〜８２３のうちｋ＝５の測定テーブル、即ち色測定テーブル８２３を更に選択する。なお、本ステップにおいて第２の色候補としてレッド(r)、ブルー(b)、グリーン（g）を参照した場合は、色測定テーブル８３１〜８３３のうちｇ＝１０の色測定テーブル、即ち、色測定テーブル８３３を選択する。
【００５６】
ステップＳ２１６では、CIE L*a*b*色空間において、ステップＳ２０３で求めたL’*a’*b’*値に対応する位置が、第１の色候補について選択された色測定テーブルに登録されているL*a*b*値群（色値群）が占める色域と、第２の色候補について選択された色測定テーブルに登録されているL*a*b*群が占める色域と、が重なる領域内の位置であるか否かを判断する。この「重なる領域」は、例えば、図５（e）、図５(f)における色域５０２に相当する。
【００５７】
ステップＳ２１６における処理は、換言すれば、CIE L*a*b*色空間において、ステップＳ２０３で求めたL’*a’*b’*値に対応する位置が、第１の色候補について選択された色測定テーブルに登録されているL*a*b*値群が占める色域内、且つ第２の色候補について選択された色測定テーブルに登録されているL*a*b*群が占める色域内、の位置であるか否かを判断する処理である。
【００５８】
ここで、ステップＳ２１６における処理について、図１６を用いて説明する。図１６（ａ）には、第１の色候補について選択された色測定テーブルに登録されているL*a*b*値群をプロットしたCIE L*a*b*色空間を示している。ここで、「第１の色候補について選択された色測定テーブルに登録されているL*a*b*値群が占める色域」は、点A,B,C,D,Eを頂点とした、六面体で近似（包含）することができる。この各点は、例えば、CIE L*a*b*色空間中の点Xにおけるシアン、マゼンタ、イエローのインク使用量をX(c,m,y)と表した場合、次のように表すことができる。なお、maxは単位面積当りのインク使用量の最大値である。
【００５９】
A(0,0,0)、B(max,0,0)、C(0, max,0)、D（0,0, max）、E（max／3,max／3,max／3）
さらにこの六面体は四面体ABCDと四面体EBCDの２つの四面体で表すことが出来る。つまり、L’*a’*b’*値が、第１の色候補について選択された色測定テーブルに登録されているL*a*b*値群が占める色域内であるか否かの判定は、次のような処理で実現できる。即ち、L’*a’*b’*値が四面体ABCDと四面体EBCDの内か外かを判定する四面体の内外判定を行う処理である。図１６（b）は四面体の内外判定を説明する図である。四面体の各頂点をA、B、C、Dとし、判定対象の点をPとすると、各頂点と点Pとの関係は式(１)で表される。
【００６０】
→    →    →    →
AP＝ｓAB＋ｔAC＋ｕAD            式（１）
点Pが四面体ABCDの中にあれば、式(２)、(３)が成り立つ。
【００６１】
ｓ＋ｔ＋ｕ≦１      式（２）
ｓ≧０、ｔ≧０、ｕ≧０          式（３）
よって、点Pは、式(２)、(３)が成り立てば四面体ABCD内にあり、成り立たなければ四面体ABCD外にあると判定することが出来る。従って、上記判定方法を用いて、第１の色候補について選択された色測定テーブルに登録されているL*a*b*値群が占める色域内であるか否かの判定を行う。そして同様にして、第２の色候補について選択された色測定テーブルに登録されているL*a*b*値群が占める色域内であるか否かの判定を行う。これにより、本ステップにおける処理を実現させることができる。
【００６２】
そしてこの判定の結果、領域内であれば処理はステップＳ２２２に進み、ステップＳ２１５で第１の色候補について選択された色測定テーブル、第２の色候補について選択された色測定テーブル、を最終的な選択結果とする。一方、領域外であれば処理はステップＳ２１７に進む。
【００６３】
ステップＳ２１７では、ステップＳ２１５で参照したセット以降に、基本４色インクを使用しているセットが登録されているか否かを判定する。この判定の結果、ステップＳ２１５で参照したセット以降に、基本４色インクを使用しているセットが登録されている場合には、このセットを選択してステップＳ２１５以降の処理を行う。一方、ステップＳ２１５で参照したセット以降に、基本４色インクを使用しているセットが登録されていない場合は、ステップＳ２１８に進む。
【００６４】
ステップＳ２１８では、ステップＳ２１３で取得したインクデータＩｄを参照し、このインクデータが拡張３色インクが使用可能であることを示しているか否か（Ｉｄ＝１か否か）を判定する。この判定の結果、拡張３色インクが使用可能であることを示す場合（Ｉｄ＝１の場合）、処理はステップＳ２１９に進み、拡張３色インクが使用不可能であることを示す場合（Ｉｄ＝０の場合）、本処理は終了する。
【００６５】
ステップＳ２１９では、ステップＳ２１２で取得したリストで現在参照しているセット以降で、最初に拡張３色インクを使用しているセット（図１７の場合、番号＝２のセット）を参照する。そしてこの参照したセットを用いて上記のステップＳ２１５と同様の処理を行うことで、第１の色候補、第２の色候補のそれぞれに対して色測定テーブルを選択する。即ち、この場合は、第１の色候補については、色測定テーブル８１１を選択し、第２の色候補については、Ｔｈ＿ｇ１＝１０であるため、色測定テーブル８３１〜８３３のうち、ｇ＝１０の色測定テーブルである色測定テーブル８３３を選択する。
【００６６】
ステップＳ２２０ではステップＳ２１９で選択したそれぞれの色測定テーブルを用いてステップＳ２１６と同様の判定処理を行う。そしてこの判定の結果、領域内と判定した場合は処理はステップＳ２２２に進み、ステップＳ２１９で第１の色候補について選択された色測定テーブル、第２の色候補について選択された色測定テーブル、を最終的な選択結果とする。一方、領域外であれば処理はステップＳ２２１に進む。
【００６７】
ステップＳ２２１では、ステップＳ２１９で参照したセット以降に、拡張３色インクを使用しているセットが登録されているか否かを判定する。この判定の結果、ステップＳ２１９で参照したセット以降に、拡張３色インクを使用しているセットが登録されている場合には、このセットを選択してステップＳ２１９以降の処理を行う。一方、ステップＳ２１９で参照したセット以降に、拡張３色インクを使用しているセットが登録されていない場合は、本処理を終了する。
【００６８】
以上説明した処理（図２（ｂ）に示したフローチャートに従った処理）を行うことで、第１の色Ｃ１用の色測定テーブル、第２の色Ｃ２用の色測定テーブル、を決定することができる。
【００６９】
以降では色情報演算部１０５は、この決定した２つの色測定テーブルを用いて、ステップＳ２０３で得たL’*a’*b’*値に対する「第１の色Ｃ１を印刷するインクのインク使用量」、「第２の色Ｃ２を印刷するインクのインク使用量」を求める。
【００７０】
図２（ａ）においてステップＳ２０５では、色情報演算部１０５は、第１の色Ｃ１用の色測定テーブル（第１の色測定データ）を参照（選択）する。次にステップＳ２０６（第１の計算）では色情報演算部１０５は、この第１の色Ｃ１用の色測定テーブルに登録されているL*a*b*値のうち、ステップＳ２０３で得たL’*a’*b’*値に近い４つのL*a*b*値を特定する。これは、第１の色Ｃ１用の色測定テーブルに登録されているL*a*b*値のうち、CIE L*a*b*色空間におけるL’*a’*b’*値の位置から規定範囲内にある４つのL*a*b*値を特定することに等価である。
【００７１】
例えば、第１の色Ｃ１のインクの組み合わせがシアン(c)、マゼンタ(m)、イエロー(y)であるとする。この場合、第１の色Ｃ１用の色測定テーブル（図８では色測定テーブル８１１）からL’*a’*b’*値に空間的に近い４つのL*a*b*値を特定する。
【００７２】
そして次に、この４つのL*a*b*値の平均的なL*a*b*値を算出する。そして、算出したL*a*b*値に対応するインク使用量、即ち、L’*a’*b’*値を有する画素を第１の色Ｃ１で印刷する場合のそれぞれのインクの使用量を、周知の補間技術により求める。例えば、算出したL*a*b*値が、第１の色Ｃ１用の色測定テーブルに登録されているL*a*b*値ＸとL*a*b*値Ｙとの間にあるとする。この場合、L*a*b*値Ｘに対応するインク使用量と、L*a*b*値Ｙに対応するインク使用量と、から補間により、上記の算出したL*a*b*値に対応するインク使用量を求める。
【００７３】
L’*a’*b’*値を有する画素を第１の色Ｃ１で印刷する場合のそれぞれのインクの使用量は、第１の色Ｃ１用の色測定テーブルにおいて、この特定した４つのL*a*b*値それぞれに対応付けられているインク使用量から補間により計算しても良い。
【００７４】
何れの方法を採用するにせよ、ここで求めるインクの使用量（ｃ、ｍ、ｙのそれぞれのインク使用量）を（c_x1,m_x1,y_x1）と表記する。例えば、４つのL*a*b*値のL*a*b色空間における位置が図９に示す如くの位置Ｐ１１，Ｐ１２，Ｐ１３，Ｐ１４であったとする。この場合、これらの位置から補間技術により、Tp（L’*a’*b’*値）となる（c_x1,m_x1,y_x1）を算出することになる。
【００７５】
ステップＳ２０７では色情報演算部１０５は、第２の色Ｃ２用の色測定テーブル（第２の色測定データ）を参照（選択）する。次にステップＳ２０８（第２の計算）では色情報演算部１０５は、この第２の色Ｃ２用の色測定テーブルに登録されているL*a*b*値のうち、ステップＳ２０３で得たL’*a’*b’*値に近い４つのL*a*b*値を特定する。これは、第２の色Ｃ２用の色測定テーブルに登録されているL*a*b*値のうち、CIE L*a*b*色空間におけるL’*a’*b’*値の位置から規定範囲内にある４つのL*a*b*値を特定することに等価である。
【００７６】
例えば、第２の色Ｃ２のインクの組み合わせがシアン(c)、マゼンタ(m)、イエロー(y)、ブラック（k）であり、閾値Th_k1＝5であるとする。この場合、第２の色Ｃ２用の色測定テーブル（図８では色測定テーブル８２３）からL’*a’*b’*値に空間的に近い４つのL*a*b*値を特定する。
【００７７】
そして次に、この４つのL*a*b*値の平均的なL*a*b*値を算出する。そして、算出したL*a*b*値に対応するインク使用量、即ち、L’*a’*b’*値を有する画素を第２の色Ｃ２で印刷する場合のそれぞれのインクの使用量を、周知の補間技術により求める。例えば、算出したL*a*b*値が、第２の色Ｃ２用の色測定テーブルに登録されているL*a*b*値ＸとL*a*b*値Ｙとの間にあるとする。この場合、L*a*b*値Ｘに対応するインク使用量と、L*a*b*値Ｙに対応するインク使用量と、から補間により、上記の算出したL*a*b*値に対応するインク使用量を求める。
【００７８】
L’*a’*b’*値を有する画素を第２の色Ｃ２で印刷する場合のそれぞれのインクの使用量は、第２の色Ｃ２用の色測定テーブルにおいて、この特定した４つのL*a*b*値それぞれに対応付けられているインク使用量から補間により計算しても良い。
【００７９】
何れの方法を採用するにせよ、ここで求めるインクの使用量（ｃ、ｍ、ｙのそれぞれのインク使用量）を（c_x2,m_x2,y_x2）と表記する。例えば、４つのL*a*b*値のL*a*b色空間における位置が図９に示す如くの位置Ｐ５１，Ｐ５２，Ｐ５３，Ｐ５４であったとする。この場合、これらの位置から補間技術により、Tp（L’*a’*b’*値）となる（c_x2,m_x2,y_x2）を算出することになる。
【００８０】
そしてステップＳ２０９では色情報演算部１０５は、ステップＳ２０６で算出したインク使用量、ステップＳ２０８で算出したインク使用量、を選択画素値（Ｒ１，Ｇ１，Ｂ１）と対応付けて出力する。出力先については特に限定するものではない。本実施形態では図１０に示す如くの構成を有する色情報を生成するので、ステップＳ２０６で算出したインク使用量、ステップＳ２０８で算出したインク使用量、選択画素値（Ｒ１，Ｇ１，Ｂ１）のセットは情報生成装置１１がアクセス可能なメモリに出力する。なお、このセットには上記の通り、ＲＧＢ毎のインデックスと、Ｃ１及びＣ２毎のインデックスとが割り当てられる。もちろん、インデックスは１つのセットに１つであっても良いし、インデックスの代わりに用いることができるものがあれば、それで代用しても良い。
【００８１】
ステップＳ２１０では色情報演算部１０５は、上記の「予め設定された画素値群」から全ての画素値を選択したか否かを判断する。この判断の結果、全ての画素値を選択したのであれば、画素値毎に生成した｛ステップＳ２０６で算出したインク使用量、ステップＳ２０８で算出したインク使用量、選択画素値（Ｒ１，Ｇ１，Ｂ１）｝のセットから上記の色情報を構成する。そして構成したこの色情報を色情報出力部１１３に対して送出して、本処理を終了する。なお、色情報出力部１１３は、色情報を受け取ると、これを適当なタイミングでもって画像処理装置１２に対して送信する。
【００８２】
一方、未だ選択していない画素値があれば処理をステップＳ２１１に進める。そしてステップＳ２１１では画素値入力部１０１は、未だ選択していない画素値のうち１つを選択画素値として選択する。そして、この選択画素値についてステップＳ２０１以降の処理が行われる。
【００８３】
次に、本実施形態に係るシステムを構成する画像処理装置１２について、図１のブロック図を用いて説明する。画像処理装置１２は、印刷対象画像を構成する各画素を、情報生成装置１１から取得した色情報が示すインク使用量に従って印刷する。
【００８４】
画像入力部１０８は、印刷対象画像を取得する。取得方法については特に限定するものではなく、例えば、スキャナを用いて、印刷媒体上に記録された情報を印刷対象画像として読み込むことで取得しても良い。また、メモリに記録されている画像をそのまま印刷対象画像として取得しても良い。また、ＰＤＬ等の印刷データを取得した場合には、このＰＤＬを展開して印刷対象画像を構成しても良い。何れの方法を採用するにせよ、印刷対象画像を取得することができるのであれば、画像入力部１０８は、如何なる方法で印刷対象画像を取得しても良い。
【００８５】
色情報取得部１１４は、情報生成装置１１から送信された上記の色情報を取得し、取得した色情報を色情報保持部１０９に転送する。然るにこの色情報は、色情報保持部１０９に保持されることになる。もちろん、情報生成装置１１側で生成した色情報を画像処理装置１２内のメモリに予め保持させておいても良い。
【００８６】
インクデータ保持部１１５には、画像処理装置１２が使用可能なインクの種類を示すインクデータが保持されている。このインクデータについては上記の通りである。潜像画像生成部１１０は、印刷対象画像上の各画素が潜像領域の画素であるのか背景領域の画素であるのかを識別するための潜像画像を取得、若しくは生成する。
【００８７】
識別画像データ生成部１１１は、潜像画像生成部１１０から取得した潜像画像を用いて、画像入力部１０８から取得した印刷対象画像を構成する各画素が潜像領域の画素であるのか、背景領域の画素であるのかを識別する。そして識別画像データ生成部１１１は、それぞれの画素が背景領域に属しているのか潜像領域に属しているのかに応じて、それぞれの画素に対するインク使用量を色情報保持部１０９に保持されている色情報を用いて特定する。
【００８８】
識別画像出力部１１２は、画像処理装置１２内、若しくは画像処理装置１２に接続された給紙装置から印刷媒体を取得し、取得した印刷媒体上に上記特定されたインク使用量に従って印刷対象画像を印刷し、印刷対象画像が印刷された印刷媒体を外部に排出する。
【００８９】
次に、画像処理装置１２が行う処理について、同処理のフローチャートを示す図１１を用いて説明する。先ずステップＳ１１０１では、画像入力部１０８は、印刷対象画像Ｉを取得し、取得した印刷対象画像Ｉを識別画像データ生成部１１１に対して送出する。ここで、印刷対象画像Ｉは、画素単位での扱いが可能な画像である。例えば、画像が紙原稿である場合、画像入力部１０８は電荷結合素子ＣＣＤまたは光学センサを有するものとし、画像入力指示に応じて画像の撮影、電気信号処理、デジタル信号処理等を行って印刷対象画像Ｉを生成する。また、画像がページ記述言語で記述されたデータであったり、特有のデータ形式を扱うアプリケーションで作成されたデータである場合には、そのデータ形式を一般的な画像の形式（ビットマップ形式等）に変換し、印刷対象画像Ｉとする。ここでは、説明を簡単にするため、生成された印刷対象画像Ｉは図１３(a)に示す如く、２つの画素値(R1,G1,B1),(R2,G2,B2)から構成されているものとする。
【００９０】
ステップＳ１１０２では潜像画像生成部１１０は、赤外光下で顕在化させたい絵柄または文字を表す潜像データＣを取得し、取得した潜像データＣから潜像画像Ｉｃを生成し、生成した潜像画像Ｉｃを識別画像データ生成部１１１に対して送出する。
【００９１】
潜像画像Ｉｃとは、画素単位での扱いが可能な２値画像データであり、絵柄または文字の部分を構成する画素の画素値は「１」、この部分以外の領域を構成する画素の画素値は「０」である。例えば、潜像データＣが図１３（ｂ）に示すような「Original」の文字が記された画像を表すデータであるとする。この場合、潜像画像生成部１１０は、図１３（ｂ）の画像において文字を構成する各画素の画素値を「１」に置き換え、文字を構成しない画素の画素値を「０」に置き換えることで生成される二値画像を、潜像画像Ｉｃとして生成する。なお、潜像データＣが元々二値画像であれば、この二値画像をそのまま潜像画像Ｉｃとして用いても良い。
【００９２】
なお、潜像画像Ｉｃの縦横のサイズは、印刷対象画像Ｉと同じとする。しかし、例えば、潜像画像Ｉｃの縦横のサイズが印刷対象画像Ｉの縦横のサイズよりも小さいとすると、潜像画像Ｉｃを例えば図１４（ａ）のように拡大する。もし潜像画像Ｉｃの縦横のサイズが印刷対象画像Ｉの縦横のサイズよりも大きい場合は、潜像画像Ｉｃを図１４（ｂ）のように縮小する。また、図１４（ｃ）に示す如く、潜像画像Ｉｃを印刷対象画像Ｉのサイズの領域内に繰り返し張り付けたものを新たに潜像画像Ｉｃとして用いても良い。
【００９３】
次にステップＳ１１０３では識別画像データ生成部１１１は、色情報保持部１０９に保持されている色情報を取得する。そして識別画像データ生成部１１１は、この色情報から画素値(R1,G1,B1),(R2,G2,B2)のそれぞれに対応付けられているインク使用量（第１の色Ｃ１用と第２の色Ｃ２用）を取得する。
【００９４】
ステップＳ１１０４では識別画像データ生成部１１１は、潜像画像生成部１１０から取得した潜像画像Ｉｃから１画素を参照する。画素の参照は、例えば潜像画像Ｉｃの左上隅の位置からラスタスキャン順に行えばよい。然るに本ステップを最初に行う場合、本ステップでは潜像画像Ｉｃの左上隅の位置における画素を参照することになる。そして参照した画素（印刷対象画素）の画素値（着目画素値）が「１」であるのか否かを判断する。この判断の結果、「１」であれば処理はステップＳ１１０５に進み、「０」であれば処理はステップＳ１１０６に進む。
【００９５】
ステップＳ１１０５では識別画像データ生成部１１１は、ステップＳ１１０４で参照した画素の位置をＲとすると、印刷対象画像Ｉ上の位置Ｒにおける画素を潜像領域内の画素に設定する。そして、印刷対象画像Ｉ上の位置Ｒにおける画素の画素値が(R1,G1,B1)である場合、(R1,G1,B1)についてステップＳ１１０３で取得したインク使用量のうち、第２の色Ｃ２用のインク使用量を、識別画像の位置Ｒにおける画素情報とする。図１０の例では、（8,26,5,5,0,0,0）が識別画像の位置Ｒにおける画素情報となる。一方、印刷対象画像Ｉ上の位置Ｒにおける画素の画素値が(R2,G2,B2)である場合、(R2,G2,B2)についてステップＳ１１０３で取得したインク使用量のうち、第２の色Ｃ２用のインク使用量を、識別画像の位置Ｒにおける画素情報とする。図１０の例では、(0,0,0,0,2,10,5)が識別画像の位置Ｒにおける画素情報となる。
【００９６】
ステップＳ１１０６では識別画像データ生成部１１１は、ステップＳ１１０４で参照した画素の位置をＲとすると、印刷対象画像Ｉ上の位置Ｒにおける画素を背景領域内の画素に設定する。そして、印刷対象画像Ｉ上の位置Ｒにおける画素の画素値が(R1,G1,B1)である場合、(R1,G1,B1)についてステップＳ１１０３で取得したインク使用量のうち、第１の色Ｃ１用のインク使用量を、識別画像の位置Ｒにおける画素情報とする。図１０の例では、（10,28,8,0,0,0,0）が識別画像の位置Ｒにおける画素情報となる。一方、印刷対象画像Ｉ上の位置Ｒにおける画素の画素値が(R2,G2,B2)である場合、(R2,G2,B2)についてステップＳ１１０３で取得したインク使用量のうち、第１の色Ｃ１用のインク使用量を、識別画像の位置Ｒにおける画素情報とする。図１０の例では、(20,0,6,0,0,0,0)が識別画像の位置Ｒにおける画素情報となる。
【００９７】
ステップＳ１１０７では識別画像データ生成部１１１は、潜像画像Ｉｃ上の全ての画素を参照したか否か（識別画像を構成する各画素の画素情報を決定したか否か）を判断する。この判断の結果、全ての画素を参照したのであれば、処理はステップＳ１１０９に進み、未だ参照していない画素が残っている場合には、処理はステップＳ１１０８に進む。
【００９８】
ステップＳ１１０８では、識別画像データ生成部１１１は、未だ参照していない画素を参照対象として設定し、ステップＳ１１０４以降の処理を行う。以上の処理を行うことで、識別画像の各画素には、どのインクをどれだけ使用するのか、を示す画素情報が割り当てられることになる。
【００９９】
ステップＳ１１０９では識別画像データ生成部１１１は、識別画像のデータ、即ち、識別画像を構成する各画素の画素情報を識別画像出力部１１２に対して送出する。これにより識別画像出力部１１２は、印刷媒体上に印刷対象画像Ｉを印刷するのであるが、印刷対象画像Ｉを構成する各画素は、識別画像において対応する位置の画素の画素情報が示すインク及びインク使用量に従って印刷される。
【０１００】
この印刷により得られる印刷媒体は、通常光下では図１３（c）に示すように２色のカラー画像として目視されるのであるが、赤外光を照射して赤外線カメラでみると図１３（d）に示すように、潜像が識別できる。
【０１０１】
なお、本実施形態では、情報生成装置１１と画像処理装置１２とは別個の装置としているが、これに限るものではなく、画像処理装置１２内に情報生成装置１１を設けるようにしても良い。この場合、画像処理装置１２は自身で色情報を生成し、生成した色情報を用いて印刷を行う装置となる。
【０１０２】
［第２の実施形態］
第１の実施形態では、赤外線吸収率が大きいインクの使用量を赤外光下で識別可能な範囲内で少なくし、他のインクを加えた構成とすることで、印刷可能な色数を増やすことを行った。しかしながら、赤外線吸収率が大きいインクのインク使用量を少なくするということは、赤外光下での明度が高くなるため、赤外カメラ等の装置でうすく認識されることになる。従って、印刷に使用できる色数を増やすために赤外線吸収率が大きいインクのインク使用量を減らすと赤外光下ではうすく認識され、赤外光下で濃く認識させるために赤外線吸収率が大きいインクのインク使用量を増やすと印刷に使用できる色数が減る。このように、印刷に使用できる色数と赤外線吸収率が大きいインクのインク使用量にはトレードオフの関係がある。
【０１０３】
係る点、赤外光下でうすくても認識できれば良く、色数を増やしたい場合や、色数がある程度減ってもよいので、赤外光下で濃く認識させたい場合といった、ユースケースに合わせた仕様が望まれる。
【０１０４】
そこで、本実施形態では、色数を増やしたい要望に対する「色数優先モード」、赤外光下で濃く認識させたい要望に対する「明度優先モード」、といったモードを設け、ユーザが所望のモードを選択できるようにした。これにより、モードに応じた色情報生成が可能となる。
【０１０５】
本実施形態に係るシステムの機能構成例について、図１（ｂ）のブロック図を用いて説明する。なお、図１（ｂ）において図１（ａ）に示した構成用件と同じ構成用件には同じ参照番号を付けており、その説明は省略する。
【０１０６】
モード選択部１２０１は、印刷に使用可能な色数を増やす為の「色数優先モード」、赤外光下での明度を濃く識別できるようにするための「明度優先モード」、の一方を選択する。モードの選択は状況に応じて情報生成装置１１が行うようにしても良いし、ユーザからの入力指示に応じて選択するようにしても良い。
【０１０７】
閾値保持部１２０２は、「色数優先モード」が選択された時に用いる「赤外線吸収率が大きいインクのインク使用量の閾値Ｔｈ１」と、「明度優先モード」が選択された時に用いる「赤外線吸収率が大きいインクのインク使用量の閾値Ｔｈ２」と、を保持する。
【０１０８】
次に、本実施形態に係る情報生成装置１１が行う処理について説明する。本実施形態に係る情報生成装置１１が行う処理は、基本的には図２（ａ）に従った処理を行うのであるが、ステップＳ２０４の処理（第１の色Ｃ１用の色測定テーブル、第２の色Ｃ２用の色測定テーブルを選択する処理）の内容が第１の実施形態と異なる。本実施形態では、ステップＳ２０４では、図１８のフローチャートに従った処理を行う。然るに以下では、図１８を用いて、本実施形態で行うステップＳ２０４における処理について説明する。なお、図１８に示した各ステップのうち、図２（ｂ）に示したステップと同じステップには同じ参照番号を付けており、その説明は省略する。
【０１０９】
ステップＳ１８０１では、モード選択部１２０１は、上記の２つのモードのうち何れか一方を選択し、選択したモードを色情報演算部１０５に通知する。モードは、赤外光下での明度がうすくても印刷に使用可能な色数を増やしたい場合は「色数優先モード」、印刷に使用可能な色数が減っても赤外光下での明度を濃く識別させたい場合は「明度優先モード」を選択する。
【０１１０】
ステップＳ１８０２では、色情報演算部１０５は、モード選択部１２０１から通知されたモードに対応する閾値を閾値保持部１２０２から取得する。例えば、「色数優先モード」に対応する閾値として、ブラックに対する閾値Ｔｈ＿ｋ１，グリーンに対する閾値Ｔｈ＿ｇ１が閾値保持部１２０２に保持されているとする。更に、「明度優先モード」に対応する閾値として、ブラックに対する閾値Ｔｈ＿ｋ２、グリーンに対する閾値Ｔｈ＿ｇ２が閾値保持部１２０２に保持されているとする。この場合、モード選択部１２０１によって「色数優先モード」が選択された場合、色情報演算部１０５は閾値保持部１２０２から閾値Ｔｈ＿ｋ１，閾値Ｔｈ＿ｇ１を読み出すことになる。一方、モード選択部１２０１によって「明度優先モード」が選択された場合、色情報演算部１０５は閾値保持部１２０２から閾値Ｔｈ＿ｋ２、閾値Ｔｈ＿ｇ２を読み出すことになる。
【０１１１】
ここで、「色数優先モード」では赤外光下での明度がうすく、「明度優先モード」は赤外光下での明度が濃いため、以下の関係が成り立つ。
【０１１２】
Ｔｈ＿ｋ１＜Ｔｈ＿ｋ２
Ｔｈ＿ｇ１＜Ｔｈ＿ｇ２
また、図４で示したように、赤外線吸収率が大きいインクは、同じインク使用量でも明度が異なるため、Th_k1とTh_g1、Th_k2とTh_g2は、それぞれ、明度が同じになるように値が設定される。
【０１１３】
以上の説明により、本実施形態によれば、選択したモードに応じた色情報（色数優先モードで生成された色情報、または、明度優先モードで生成された色情報）を生成することができる。更に、このようにして生成された色情報を用いて印刷を行うことにより、選択されたモードに応じた印刷画像を得ることができる。
【０１１４】
なお、本実施形態では、各モードに対して閾値が予め決定されており、モードを切り替えることで、使用する閾値を切り替えていたが、モードの選択は行わずに、閾値を直接変更するようにしても良い。
【０１１５】
［第３の実施形態］
第２の実施形態では、情報生成装置１１側でモードを選択することで、選択したモードに応じた色情報を生成し、これにより、選択したモードに応じた印刷を行った。本実施形態では、選択可能なモードのそれぞれに対応する色情報を予め保持しておき、識別画像を生成する際にモードを選択する。そして選択したモードに対応する色情報を用いて印刷を行う。
【０１１６】
本実施形態に係るシステムの機能構成例について、図１（ｃ）のブロック図を用いて説明する。なお、図１（ｃ）において図１（ａ）、（ｂ）に示した構成用件と同じ構成用件には同じ参照番号を付けており、その説明は省略する。
【０１１７】
色情報演算部１２０３は、モード選択部１２０１により選択されたモードに応じた色情報を生成する。なお、本実施形態では、画像処理装置１２側で色数優先モードが設定された場合に画像処理装置１２が用いる色情報と、画像処理装置１２側で明度優先モードが設定された場合に用いる色情報と、を生成する必要がある。然るに、先ずモード選択部１２０１により一方のモードを選択し、色情報演算部１２０３を動作させることで、この選択したモードに対応する色情報を生成する。そしてその後、モード選択部１２０１により他方のモードを選択し、色情報演算部１２０３を動作せることで、この選択したモードに対応する色情報を生成する。そして情報生成装置１１は、色情報出力部１１３を介して、それぞれのモードについて生成した色情報を画像処理装置１２に対して送出するので、このそれぞれのモードに対応する色情報は、色情報取得部１１４を介して色情報保持部１０９に保持される。
【０１１８】
モード選択部１２０４は、モード選択部１２０１と同様に、色数優先モード、明度優先モード、の何れか一方を選択し、選択したモードを識別画像データ生成部１１１に対して通知する。識別画像データ生成部１１１は、この選択されたモードに対応する色情報を色情報保持部１０９から読み出して使用する。
【０１１９】
次に、本実施形態に係る画像処理装置１２が行う処理について、同処理のフローチャートを示す図１２を用いて説明する。なお、図１２に示した各ステップのうち、図１１に示したステップと同じステップには同じ参照番号を付けており、その説明は省略する。また、図１２のフローチャートに従った処理を行うときには既に、色情報保持部１０９には、上記のそれぞれのモードに対応する色情報が保持されているものとする。
【０１２０】
ステップＳ１９０１では、モード選択部１２０４は、色数優先モード、明度優先モード、の何れか一方を選択し、選択したモードを識別画像データ生成部１１１に対して通知する。
【０１２１】
ステップＳ１９０２では、識別画像データ生成部１１１は、色情報保持部１０９に保持されているそれぞれのモードに対応する色情報のうち、ステップＳ１９０１で選択したモードに対応する色情報を取得する。
【０１２２】
そして以降は第１の実施形態と同様の処理を行う。これにより、選択したモードに応じた色情報を用いて識別画像を生成することができる。なお、それぞれのモードに対応する色情報は、予め生成して色情報保持部１０９に保持させておくのではなく、画像処理装置１２が印刷指示を受けると情報生成装置１１に色情報を生成させても良い。この場合、情報生成装置１１を画像処理装置１２と別個の装置としても良いし、画像処理装置１２内に情報生成装置１１を設けても良い。
【０１２３】
また、上記の通り、モードの選択はユーザが行っても良いし、画像処理装置１２側の出力モードに応じてモードを選択させても良い。例えば、印刷品質の「写真モード」で出力する場合は色数を多数使用するため、「色数優先モード」を選択し、「白黒モード」で出力する場合は「明度優先モード」を選択する。
【０１２４】
［第４の実施形態］
図１に示した情報生成装置１１を構成する各部は何れもハードウェアで構成しても良いが、閾値保持部１０３、測定データ保持部１０４、リスト保持部１０６、をメモリを用いて実装し、それ以外の各部をソフトウェアで実装しても良い。この場合、このメモリを有し、且つこのソフトウェアを実行するコンピュータには、図１５に示すような構成を有するコンピュータを適用することができる。
【０１２５】
スキャナ１５１２は、紙などの記録媒体上に記録された情報を画像として読み取るもので、読み取った画像はＩ／Ｆ（インターフェース）１５１３を介してＲＡＭ１５０２や外部記憶装置１５０８に転送され、そこに格納される。
【０１２６】
プリンタ１５１０は、Ｉ／Ｆ１５１１を介して受信したデータに基づいて画像や文字を印刷媒体上に印刷するためのもので、例えば、インクジェットプリンタ、レーザビームプリンタ、熱転写型プリンタ、ドットインパクトプリンタなどが挙げられる。このプリンタ１５１０は、例えば、上記の画像処理装置１２としても良い。
【０１２７】
ＣＰＵ１５０１は、ＲＡＭ１５０２やＲＯＭ１５０３に格納されているコンピュータプログラムやデータを用いて、本コンピュータ全体の動作制御を行うと共に、本コンピュータを適用する情報生成装置１１が行うものとして上述した各処理を実行する。
【０１２８】
ＲＡＭ１５０２は外部記憶装置１５０８からロードされたコンピュータプログラムやデータ、スキャナ１５１２から転送された画像データ、他のコンピュータシステム１５１４からＩ／Ｆ１５１５を介して受信したデータを一時的に記憶する為のエリアを有する。更にＲＡＭ１５０２は、ＣＰＵ１５０１が各種の処理を実行する際に用いるワークエリアを有する。即ち、ＲＡＭ１５０２は、様々なエリアを適宜提供することができる。ＲＯＭ１５０３には、本コンピュータの設定データやブートプログラムなどが格納されている。ディスプレイ１５０５は、ＣＲＴや液晶画面などにより構成されており、ディスプレイ制御装置１５０４による制御に従って画像や文字を表示する。
【０１２９】
外部記憶装置１５０８は、様々な情報を保存するための大容量情報記憶装置として機能するものである。この外部記憶装置１５０８には、ＯＳ（オペレーティングシステム）や、情報生成装置１１が行うものとして上述した各処理をＣＰＵ１５０１に実行させるためのコンピュータプログラムやデータ、既知の情報として説明した様々な情報が保存されている。この既知の情報には、図８，１７に示したようなテーブル情報も含まれる。外部記憶装置１５０８に保存されているコンピュータプログラムやデータは、ＣＰＵ１５０１による制御に従って適宜Ｉ／Ｆ１５０９を介してＲＡＭ１５０２にロードされ、ＣＰＵ１５０１による処理対象となる。
【０１３０】
操作デバイス１５０６は、キーボードやマウスなどの入力機器により構成されており、ユーザが操作デバイス１５０６を操作することで入力した様々な指示は、Ｉ／Ｆ１５０７を介してＣＰＵ１５０１に通知される。この指示には、上記のモード選択指示も含まれる。
【０１３１】
他のコンピュータシステム１５１４は、ＬＡＮやインターネット等のネットワークに接続されている１以上のコンピュータであり、本コンピュータはこの他のコンピュータシステム１５１４と、Ｉ／Ｆ１５１５を介して様々な情報の送受信を行うことができる。
【０１３２】
ＣＰＵ１５０１、Ｉ／Ｆ１５０７，１５０９，１５１１，１５１３，１５１５、ＲＡＭ１５０２、ＲＯＭ１５０３、ディスプレイ制御装置１５０４、は何れも、バス１５１６に接続されている。
【０１３３】
なお本実施形態では、スキャンやプリンタを除く処理をコンピュータにより行っているが、スキャナやプリンタ内部の専用のハードウェア回路を用いて、コンピュータで行う処理を代行しても良い。
【０１３４】
なお、図１５に示した構成は、上記の情報生成装置１１に適用可能なコンピュータの構成の一例に過ぎず、図１５に示した構成に適宜新たな構成を追加しても良いし、図１５に示した構成のうち適当な構成用件を状況に応じて省いても良い。また、１つの構成用件が担っている作業のうち一部を他の構成用件に分担させても良い。これは図１に示した構成用件についても同じことである。
【０１３５】
また、上記の各実施形態は、複数の機器（例えば、ホストコンピュータ、インターフェース機器、リーダ、プリンタ等）から構成されるシステムに適用しても、一つの機器からなる装置（例えば、複写機、複合機、ファクシミリ装置等）に適用してもよい。また、上記の各実施形態は適宜組み合わせても良いし、組み合わせる際に幾つかの技術事項を追加したり、省いたりしても良い。
【０１３６】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005715385.tif 000002
【図２】
0005715385.tif 000003
【図３】
0005715385.tif 000004
【図４】
0005715385.tif 000005
【図５】
0005715385.tif 000006
【図６】
0005715385.tif 000007
【図７】
0005715385.tif 000008
【図８】
0005715385.tif 000009
【図９】
0005715385.tif 000010
【図１０】
0005715385.tif 000011
【図１１】
0005715385.tif 000012
【図１２】
0005715385.tif 000013
【図１３】
0005715385.tif 000014
【図１４】
0005715385.tif 000015
【図１５】
0005715385.tif 000016
【図１６】
0005715385.tif 000017
【図１７】
0005715385.tif 000018
【図１８】
0005715385.tif 000019